(57)【特許請求の範囲】
【請求項１】
便器本体の上面背後部に取付けられ、人体の局部を温水にて洗浄する洗浄機能部と、洗浄した局部を温風にて乾燥する乾燥機能部若しくは便器本体内の臭気を脱臭する脱臭機能部と、をケーシングおよびカバー体で形成された外装に収容して構成した衛生洗浄装置において、前記洗浄機能部の側方に乾燥機能部若しくは脱臭機能部を配置し、前記乾燥機能部若しくは脱臭機能部の側面に前記洗浄機能部とを区画する防湿壁を形成し、少なくとも温水の温度及び温水の噴出量を制御するためのコントローラを、前記防湿壁よりも乾燥機能部若しくは脱臭機能部側に配置させたことを特徴とする衛生洗浄装置。
【請求項２】
便器本体の上面背後側に取付けられ、人体の局部を温水にて洗浄する洗浄機能部と、洗浄した局部を温風にて乾燥する乾燥機能部および便器本体内の臭気を脱臭する脱臭機能部と、をケーシングおよびカバー体で形成された外装に収容して構成した衛生洗浄装置において、前記洗浄機能部の側方には、前記脱臭機能部および上部に前記脱臭機能部を設けた乾燥機能部が配置され、前記乾燥機能部および脱臭機能部の側面に前記洗浄機能部とを区画する防湿壁を形成し、少なくとも温水の温度及び温水の噴出量を制御するためのコントローラを、前記防湿壁よりも乾燥機能部および脱臭機能部に配置させたことを特徴とする衛生洗浄装置。
【請求項３】
前記洗浄機能部へ温水を供給する熱交換ユニットと、前記コントローラとを、前記防湿壁を境にして区画されるように配置されていることを特徴とする請求項２記載の衛生洗浄装置。
【請求項４】
前記脱臭機能部は、乾燥機能部下部のケーシングに開口した空気の吸気口と連通して乾燥機能部にその温風排出ダクトと区画して形成した吸気ダクトと、便座側方の袖部に開口した脱臭空気の排気口と連通し、かつ、前記吸気ダクトとは脱臭装置を介挿して連通する排気ダクトとを具備して乾燥機能部の上部に取付けたことを特徴とする請求項２または３記載の衛生洗浄装置。
【請求項５】
前記乾燥機能部は、前記脱臭機能部の吸気ダクトと併設して温風排出ダクトを備え、この温風排出ダクトの前面下部に、洗浄ノズルの先端等を洗浄する洗浄水の給水チューブと、バキュームブレーカ―からの溢流水を便器本体に流下する排水チューブとを脱落不能に配管支持する係合支持手段を具備して形成したことを特徴とする請求項２ないし４いずれか１つに記載の衛生洗浄装置。
【請求項６】
前記脱臭機能部に具備した脱臭装置は、脱臭部材を収容したゴム等弾力性に富む部材からなる収容容器を、一方の開口端を吸気ダクトに嵌合し、他方の開口端を排気ダクトに着脱自在に支着して取付けるようにしたことを特徴とする請求項４記載の衛生洗浄装置。
【請求項７】
前記脱臭機能部の吸気ダクトの上端には、電気配線を前記吸気ダクトの壁面に沿って単独、あるいは、束ねた状態で係脱自在に掛止する掛止手段を備えたことを特徴とする請求項４または６記載の衛生洗浄装置。
【請求項８】
前記乾燥機能部の温風排出ダクトの後背部上端には、コントローラを構成する電子回路部品とともにプリント基板に実装したサージ吸収器の保護壁を一対所定の間隔を空けて形成したことを特徴とする請求項５記載の衛生洗浄装置。
【請求項９】
前記一対の保護壁間に、コントローラから延出する電気配線を介挿し、前記保護壁間において電気配線を束ねた状態で整列配線させたことを特徴とする請求項８記載の衛生洗浄装置。
【請求項１０】
前記脱臭機能部の排気ダクトには、排気口と連通する便座袖部の開口部と気密に結合する結合壁を形成したことを特徴とする請求項４記載の衛生洗浄装置。
【請求項１１】
ケーシングに開口されて前記脱臭機能部の吸気ダクトと連通する空気の吸気口は、フィルタ、あるいは、閉鎖板を取外し自在に具備したことを特徴とする請求項４記載の衛生洗浄装置。
【発明の詳細な説明】
【０００１】
【発明の属する技術分野】
本発明は、便器本体の後背部に取付けられて、人体の局部に温水を噴出させて洗浄するようにした衛生洗浄装置の改良に関する。
【０００２】
【従来の技術】
従来から、用便後の局部を洗浄する機能を備えた衛生洗浄装置においては、前記局部洗浄用の温水を噴出するための洗浄ノズル、温水を生成させてこれを貯湯する温水タンク，洗浄後の局部を温風にて乾燥させる温風装置，トイレ内の臭気を脱臭処理する脱臭装置，前記温水や温風の温度とか温水の噴出を制御するための制御装置等種々の機能部をケーシングに収容設置し、このケーシングに便座，便蓋を取付けた後、前記ケーシングを便器本体に取付けることができるように構成されている。
【０００３】
【発明が解決しようとする課題】
然るに、前記衛生洗浄装置においては、ケーシングに対して温水タンクをはじめ、温風装置，脱臭装置，制御装置を構成する電子部品を実装した基板類等各種の機能部が、ほぼ平面的に配置されていることが多いため、ケーシング自体が大型化するという問題があった。
【０００４】
また、温水を噴出させて局部を洗浄しているときに生じる湯気がケーシング内に浸入したり、あるいは、温水タンクの内，外の温度差によって結露が生じたりすると、前記ケーシング内は相当な湿気状態下に晒されるため、制御装置を構成する電子部分が湿気により劣化損傷し、誤動作したり、短絡等により機能停止、漏電事故等を誘発するという問題があった。
【０００５】
更に、トイレ内の臭気を脱臭する脱臭装置においては、温風装置においても同様であるが、ともに剛体のダクト（樹脂製）に電動送風機を取付ける構造となっているので、電動送風機の駆動により振動が発生し、その振動がダクト，ケーシングに伝播して騒音を発生していたので、トイレ内という限られたスペース内において、前記騒音は非常に大きなものとなり、使用者にとって不快感を与えたり苦痛を誘発する大きな要因となっていた。
【０００６】
本発明は、前記の種々な問題に鑑み、制御装置の電子部品が存在する部位には湿気が浸入するのを抑制するとともに、各種機能部のケーシングに対する設置を効率的に行うことにより、ケーシングの小形化を実現し、しかも、電動送風機の駆動に伴う騒音の発生も効果的に軽減可能とした、衛生洗浄装置を提供することを目的とする。
【０００７】
【課題を解決するための手段】
請求項１記載の発明は、便器本体の上面背後部に取付けられ、人体の局部を温水にて洗浄する洗浄機能部と、洗浄した局部を温風にて乾燥する乾燥機能部若しくは便器本体内の臭気を脱臭する脱臭機能部と、をケーシングおよびカバー体で形成された外装に収容して構成した衛生洗浄装置において、前記洗浄機能部の側方に乾燥機能部若しくは脱臭機能部を配置し、前記乾燥機能部若しくは脱臭機能部の側面に前記洗浄機能部とを区画する防湿壁を形成し、少なくとも温水の温度及び温水の噴出量を制御するためのコントローラを、前記防湿壁よりも乾燥機能部若しくは脱臭機能部側に配置させたことを特徴とする。
【０００８】
請求項２記載の発明は、便器本体の上面背後部に取付けられ、人体の局部を温水にて洗浄する洗浄機能部と、洗浄した局部を温風にて乾燥する乾燥機能部および便器本体内の臭気を脱臭する脱臭機能部と、をケーシングおよびカバー体で形成された外装に収容して構成した衛生洗浄装置において、前記洗浄機能部の側方には、前記脱臭機能部および上部に前記脱臭機能部を設けた乾燥機能部が配置され、前記乾燥機能部および脱臭機能部の側面に前記洗浄機能部とを区画する防湿壁を形成し、少なくとも温水の温度及び温水の噴出量を制御するためのコントローラを、前記防湿壁よりも乾燥機能部および脱臭機能部側に配置させたことを特徴とする。
請求項３に記載の発明は、請求項２記載の衛生洗浄装置において、前記洗浄機能部へ温水を供給する熱交換ユニットと、前記コントローラとを、前記防湿壁を境にして区画されるように配置されていることを特徴とする。
【０００９】
請求項４記載の発明は、請求項２または３記載の衛生洗浄装置において、前記脱臭機能部は、乾燥機能部下部のケーシングに開口した空気の吸気口と連通して乾燥機能部にその温風排出ダクトと区画して形成した吸気ダクトと、便座側方の袖部に開口した脱臭空気の排気口と連通し、かつ、前記吸気ダクトとは脱臭装置を介挿して連通する排気ダクトとを具備して乾燥機能部の上部に取付けるようにしたことを特徴とする。
【００１０】
請求項５記載の発明は、請求項２ないし４いずれか１つに記載の衛生洗浄装置において、前記乾燥機能部は、前記脱臭機能部の吸気ダクトと併設する温風排出ダクトを備え、この温風排出ダクトの前面下部に、洗浄ノズルの先端等を洗浄する洗浄水の給水チューブと、バキュームブレーカーからの溢流水を便器本体に流下する排水チューブとを、脱落不能に配管支持する係合支持手段を具備して形成したことを特徴とする。
【００１１】
請求項６記載の発明は、請求項４記載の衛生洗浄装置において、前記脱臭機能部に具備した脱臭装置は、脱臭部材を収容したゴム等弾力性に富む部材からなる収容容器を、一方の開口端を吸気ダクトに嵌合し、他方の開口端を排気ダクトに着脱自在に支着して取付けるようにしたことを特徴とする。
【００１２】
請求項７記載の発明は、請求項４または６記載の衛生洗浄装置において、前記脱臭機能部の吸気ダクトの上端には、電気配線を前記吸気ダクトの壁面に沿って単独、あるいは、束ねた状態で係脱自在に掛止する掛止手段を備えたことを特徴とする。
【００１３】
請求項８記載の発明は、請求項５記載の衛生洗浄装置において、前記乾燥機能部の温風排出ダクトの後背部上端には、コントローラを構成する電子回路部品とともにプリント基板に実装したサージ吸収器の保護壁を一対所定の間隔を空けて形成したことを特徴とする。
【００１４】
請求項９記載の発明は、請求項８記載の衛生洗浄装置において、前記一対の保護壁間に、コントローラから延出する電気配線を介挿し、前記保護壁間において電気配線を束ねた状態で整列配線させたことを特徴とする。
【００１５】
請求項１０記載の発明は、請求項４記載の衛生洗浄装置において、前記脱臭機能部の排気ダクトには、排気口と連通する便座袖部の開口部と気密に結合する結合壁を形成したことを特徴とする。
【００１６】
請求項１１記載の発明は、請求項４記載の衛生洗浄装置において、ケーシングに開口されて前記脱臭機能部の吸気ダクトと連通する空気の吸気口は、フィルタあるいは閉鎖板を取外し自在に具備したことを特徴とする。
【００１７】
本発明の衛生洗浄装置によれば、乾燥機能部の温風排出ダクトの上に脱臭機能部の吸気ダクトを乗載し、前記各ダクトの洗浄ノズル側に隣接する側面に、カバー体をケーシングに被着したとき、前記洗浄ノズルと温風・脱臭機能部との間を区画する防湿壁を形成したので、衛生洗浄装置の使用中、例えば、洗浄ノズルから噴出する温水により局部洗浄を行っているときに、温水の噴出により発生する湯気が、洗浄ノズルの側方の隙間からケーシング内に浸入した場合とか、温水タンクの表面にその内・外の温度差により結露が生じた場合等、ケーシング内の湿度が上昇した際、前記防湿壁の存在により、温風・脱臭機能部側に温水や温風温度及び温水の噴出量等を制御するために配置したコントローラ側に、貯湯タンク側の湿気が浸入するのを良好に抑制することができるため、コントローラの電子部品が湿気によって劣化損傷し、制御機能が誤動作したり、動作不能となる等の問題を良好に回避することができる。
【００１８】
本発明は、乾燥機能部上に脱臭機能部を乗載し、この脱臭機能部の吸気ダクトを乾燥機能部内の温風排出ダクトの側方の空所を利用して設け、一方、排気ダクトは前記吸気ダクトとの間に脱臭部材を収容した脱臭装置を介してケーシング側方の便座袖部後部の空所内と連通するように構成したので、脱臭機能部は乾燥機能部の上部空間を有効利用してケーシングに収容することができるので、衛生洗浄装置の要部を構成するコントローラ，乾燥機能部，洗浄ノズル等各機能部をケーシング内に効率よく配置でき、これによりケーシングのコンパクト化を良好に図ることができる。
【００１９】
本発明は、乾燥機能部の温風排出ダクト前面側の上部に、バルブユニットに付設したバキュームブレーカーに一方端を止着して先端を開放した排水チューブと、バルブユニットの電磁弁に一方端を止着し、他方端を洗浄ノズルの先端を遊嵌する環状の支持体に連結して、前記洗浄ノズルの先端からその胴体部を洗浄する洗浄水の給水チューブとをそれぞれ平行に、かつ、揺動不能に配管支持するための係合支持手段が形成されているので、前記排水チューブ，給水チューブは、前記係合支持手段にて温風排出ダクト上に整然と係止保持することが可能となり、この結果、ケーシング内において、排水，給水の各チューブは他の給水関連のチューブと混交して配管されることなく、しかも、配管スペースを特別に必要とせず、温風排出ダクト上の空スペースを有効利用して平行に、かつ、揺動不能に配管できるので、ケーシング内のデットスペースの有効利用が図れるとともに、ほぼ直線に近い状態での支持配管により、洗浄水の排水、供給が円滑に行い得、洗浄水の流通により排水チューブが揺動して、例えば、排水される洗浄水がケーシング内の所要の排水場所以外で排水されるという問題を確実に防ぐことができる。
【００２０】
本発明は、脱臭機能部を、吸気ダクトと排気ダクトとの間に脱臭部材をゴム等弾力性に優れた容器に収容して設けた脱臭装置を各ダクトと連通可能に挿設して構成したので、温風，脱臭の各ユニットを駆動したときに生じる電動機の振動を良好に吸収緩和させて、騒音の発生を抑制することが可能となり、衛生洗浄装置の使用者は脱臭機能部の駆動によって生じる騒音に不快感を感じることなく、快適に用足し等が行い得、利便である。
【００２１】
本発明は、脱臭機能部の吸気ダクトの上端に、吸気ダクトの壁面に沿って電気配線を係脱自在に係止する係止手段が形成されているので、コントローラと各機能部とを電気的に接続する配線を、単独あるいは束ねて係止支持することができるため、配線作業が迅速・容易に、かつ、配線を嵩張らないように脱臭機能部の上部空間を有効利用して配線することが可能となり至便である。
【００２２】
本発明は、コントローラに実装したサージ吸収器に、その定格を超えるような異常電圧が連続的、あるいは、瞬間的、間欠的に印加されると、サージ吸収器を構成するバリスタ素子が急激に過熱し、サージ吸収器がその外装材とともに破裂し、サージ吸収器を構成するバリスタ素子の破片や、前記バリスタ素子をコーティングしている外装材の破片が高温状態下でサージ吸収器の周囲に飛散した場合、前記保護壁にて受け止め、サージ吸収器の周囲に配置されている可燃性の部材（例えば、電気配線の被覆）に付着して損傷させるという問題を良好に回避することができ、これにより、サージ吸収器の破損に伴う弊害を安全に解消することができる。
【００２３】
本発明は、前記サージ吸収器の破損に伴う弊害を回避するために形成した一対の保護壁間の空間を利用して電気配線を介装させることができるため、電気配線の一部を乾燥機能部の温風排出ダクト後背部の空所を有効利用して整列配線することが可能となり、これにより、電気配線の散乱を防ぎ配線作業を円滑に行うことができる。
【００２４】
本発明は、脱臭機能部の排気ダクトを、排気口と連通する便座袖部の開口部に気密に結合する結合壁を形成して前記開口部に気密状態で結合させるように構成したので、脱臭空気の排気が確実にでき、かつ、脱臭した空気が湿気を含んでいたとしても、排気ダクトから漏出してケーシング内に浸入することは全くなく、脱臭した湿気を含む空気のケーシング内部への浸入による結露等の弊害を良好に回避することができる。
【００２５】
本発明は、乾燥機能部の温風排出口付近に位置するケーシングの裏面に脱臭機能部の吸気ダクトと連通する空気の吸気口が開口されており、衛生洗浄装置に脱臭機能部を具備させる場合は、前記空気の吸気口にフィルタを取付けて塵埃の侵入を阻止し、逆に、脱臭機能部を必要としない場合は、空気の吸気口を閉鎖板にて閉鎖することにより、ケーシング内に塵埃が侵入するのを良好に防ぐように構成したので、ケーシングは、脱臭機能部の有・無にかかわらず、共通仕様での製造が可能となるため、ケーシングの設計及び製造コストを良好に低減することができる。
【００２６】
【発明の実施の形態】
以下、本発明の実施例を図１ないし図２２より説明する。本発明の実施例で示す衛生洗浄装置１は、図示しない便座を具備した状態で便器本体（図示せず）の後背部にベースプレートを介して設置され、水道等の給水源から供給される洗浄水を所定温度に加熱し温水として貯湯し、必要時温水を洗浄ノズル２より人体の局部に噴出させて局部洗浄を行うものである。
【００２７】
そして、前記衛生洗浄装置１は、図１，６に示すように、外装を形成するケーシング３とカバー体４とを備えており、前記ケーシング３には、前記洗浄ノズル２をほぼ中心としてその片側（図１の左側）には、乾燥機能部としての温風ユニット５，脱臭機能部としての脱臭ユニット６，コントローラ７，バルブユニット８等各種の機能部がコンパクトに収容設置されており、もう一方の片側には貯湯タンク９を主体とする熱交換ユニット１０が収容設置されている。
【００２８】
また、前記洗浄ノズル２は、専用の駆動手段を具備して待機位置と、お尻，ビデ用の２つの洗浄位置（図１の手前側）とに向って進退するようにケーシング３に取付けられており、使用に際しては、ケーシング３の袖部３ａに具備される図示しない操作部を操作することによって、貯湯タンク９の温水が供給され、洗浄ノズル２の先端上部に穿孔した図示しない噴出口より温水を噴出させてお尻、あるいは、ビデ洗浄を行うものである。
【００２９】
次に、温風ユニット５の構成について説明する。前記温風ユニット５は図１，３，６，２０に示すように、熱交換ユニット１０の反対側に洗浄ノズル２を挟んでケーシング３に前記洗浄ノズル２に近接して取付けられている。この温風ユニット５は図１，６に示すように、その前部（ケーシング３の前部側，図６の左側）をカバー体４の傾斜面と合致するようにケーシング３側に向って下向きに傾斜させた傾斜面１１ａを有し、前記前部の傾斜面１１ａ側からケーシング３の後部側に向う中央部は、前記傾斜面１１ａの頂部を平坦に形成して平坦面１１ｂを備えた温風排出ダクト１１と、この温風排出ダクト１１の平坦面１１ｂ後端（図６，９参照）に取付けた電動送風機１２と、この電動送風機１２の図示しない排風側に設けたヒータ（図示せず）を具備して構成されている。
【００３０】
そして、前記温風ユニット５の温風排出ダクト１１は、図３に示すように、上部平坦面１１ｂのほぼ半分以上にわたり空気が流通する開口部１３が開口されており、また、傾斜面１１ａ側に位置するケーシング３の前部側には、図２０に示すように、前記ケーシング３の前部側に位置する底面に開口した空気の吸気口１４が前記開口部１３と連通可能に開口されている。
【００３１】
更に、前記温風排出ダクト１１には、図２０に示すように、その内部空間を区画壁１１ｃにて区画し、この区画壁１１ｃにて電動送風機１２とヒータとによって生成した温風を排出する排風路（図示せず）を形成し、この排風路を流通する温風は、図１に示すケーシング３の前面側に開口した温風排出口１５より使用者の局部に向けて排出される。一方、前記区画壁１１ｃに区画された温風排出ダクト１１内の前記排風路を除く空間は、吸気口１４，開口部１３と連通し、便器本体内の臭気を脱臭ユニット６に送出する通路となっている。１６は温風排出口１５に取付けた開閉板で、温風排出時温風の風圧によって開放され、温風の排風停止による風圧の解消により自動落下して温風排出口１５を閉鎖するように取付けられている。
【００３２】
次に温風ユニット５の平坦面１１ｂに載置される脱臭ユニット６について説明する。前記脱臭ユニット６は、臭気を吸引し後述する脱臭部材により臭気を脱臭して排気する空気の吸引・排気を行うための電動吸引，排気手段（例えば、電動機にシロッコファンを取付けた送風機を指すもので、以下脱臭送風機という）１７を取付けた吸気ダクト１８と、脱臭部材を収容した脱臭装置２３を取付けた排気ダクト１９とによって構成されている。
【００３３】
最初に、吸気ダクト１８は、図４，１６〜１９に示すように、Ｌ字形に成形加工した吸気壁体２０と、吸気壁体２０の水平部ａに開口（図示せず）されて前記温風ユニット５の平坦面１１ｂに開口した開口部１３と連通する開口を被覆して前記吸気壁体２０に、内部を空洞化して一体的に成形された直角三角形の被覆函体２１（図１９参照）と、更に、図１６〜１８に示すように、前記吸気壁体２０の垂直部ｂを挟んで被覆函体２１の反対側に取付けた前記脱臭送風機１７とからなり、この脱臭送風機１７の駆動により吸収される便器本体内の脱臭は、ケーシング３に設けた吸気口１４から区画壁１１ｃにて区画された温風ユニット５内の空所（通路）を通って前記開口部１３より被覆函体２１内の空間を経て、図４に示すように前記被覆函体２１の側方に開口した排風口２１ａより次に説明する排気ダクト１９内に送出するように構成されている。
【００３４】
つづいて、前述した排気ダクト１９は、図５，１２，１３，１９に示すように、吸気ダクト１８から送出された臭気を脱臭する脱臭部材１８ａ（図１４参照）と、この脱臭部材１８ａを収容したゴム等弾力性，緩衝性に優れた部材にて形成した収容容器２２からなる脱臭装置２３と、前記脱臭装置２３の収容容器２２の片側を吸気ダクト１８側に延設して吸気ダクト１８の排風口２１ａをその外側から嵌着するように形成した筒形の導入筒２４と、図５，１０に示すように、前記導入筒２４の反対側において収容容器２２にほぼ半分程挿着してなる内部を空洞化した平面形状がＬ字形をなすダクト函２５とによって構成されている。
【００３５】
前記ダクト函２５は、吸気ダクト１８の吸気壁体２０，被覆函体２１とともに、合成樹脂によって所定形状に成形加工することにより設けられている。脱臭ユニット６は、前記吸気ダクト１８の排風口２１ａ外側に、排気ダクト１９の脱臭部材を収容したゴムとか弾力性に優れた部材からなる収容容器２２の導入筒２４を嵌着することに構成されており、前記吸気，排気の各ダクト１８，１９は、図２，４，５に示すように、それぞれの支持部ｃをケーシング３，温風ユニット５に突設した所定の取付部ｄに止ねじを用いて螺着することによりケーシング３に固定支持されている。なお、温風ユニット５も図２，６に示すように、脱臭ユニット６と同様に、ケーシング３に突設した取付部ｄに止ねじを用いて止着されている。
【００３６】
また、収容容器２２とダクト函２５との固定は、図５，１４に示すように、収容容器２２の周面に設けた係止突起２６を、ダクト函２５の前記係止突起２６と対応する位置に穿孔した係止孔２７に係止させることにより、即ち、収容容器２２を図１４に示すように、ダクト函２５内に挿入し、係止突起２６が係止孔２７の位置に対応すると、弾力性に富む係止突起２６はダクト函２５の開口端に押圧されて少し撓み、係止孔２７と合致すると、弾性力により原状回復し、係止突起２６が係止孔２７に掛止されることにより、収容容器２２をダクト函２５に抜脱不能に取付ける。脱臭部材１８ａの交換等に当っては、係止突起２６を脱臭部材１８ａに押圧して、突起２６と係止孔２７との掛止めを解くことにより、収容容器２２はダクト函２５から簡単に取外すことができる。
【００３７】
更に、前記ダクト函２５は、図１，３，１０に示すように、収容容器２２を挿着していない空函部２５ａ，ケーシング３に併設した図示しない操作部を取付けるための袖部３ａの後背部側（図３の左上方部）に形成した凹陥部２８の上部開口端に乗載し、その支持部ｃをケーシング３の取付部ｄに止ねじを用いて止着することにより、吸気ダクト１８側と一体となしてケーシング３に固定保持される。
【００３８】
なお、図１０に示す２９は、ケーシング３の袖部３ａの後背部に設けたダクト函２５，空函部２５ａを載置する凹陥部２８下部の底面に複数条にわたり穿設した排気口で、脱臭装置２３にて脱臭した空気をケーシング３外に排出する。また、前記ダクト函２５の空函部２５ａと袖部３ａの凹陥部２８との結合は、図１１に示すように、ダクト函２５の空函部２５ａ下端縁２５ａ1 が、凹陥部２８上端縁２８ａにおいてその内側に係合する係合突壁２５ａ2 を設けてほぼ気密状態で嵌合支持されているので、便器本体から吸引された臭気を含む空気が、脱臭後においても湿気を含んでいた場合、前記結合部の存在により、湿気はケーシング３内に侵入せず、排気口２９からケーシング３外に排出させることができるため、湿気を含む空気がケーシング３内に浸入することによって生じる弊害（結露の発生）を良好に解消することができる。
【００３９】
次に図１，３，６に示す３０，３１は、温風ユニット５，脱臭ユニット６の洗浄ノズル２側に位置する端部に形成した第１，第２の防湿壁で、第１の防湿壁３０は温風ユニット５の温風排出ダクト１１の前記洗浄ノズル２側の端面において、傾斜面１１ａから平坦面１１ｂにかけて上方に突出させて形成されており、また、第２の防湿壁３１は脱臭ユニット６の吸気ダクト１８の洗浄ノズル２と近接する端面において、吸気ダクト１８を構成する吸気壁体２０の水平部ａから垂直部ｂにかけて形成されており、更に、前記吸気壁体２０の垂直部ｂ端縁には、図１，４，６に示すように、洗浄ノズル２と近接する位置において、前記吸気壁体２０とコントローラ７との間に生じる空間を仕切るようにして第３の防湿壁３２が、吸気壁体２０と一体的に形成されている。
【００４０】
前記第１〜第３の防湿壁３０〜３２を形成して、カバー体４をケーシング３に被せると、図１，６，７に示すように、第１〜３の防湿壁３０〜３２の各頂部は、それぞれカバー体４の前部側に存在する傾斜面と相対応して近接し、あたかもケーシング３内を、洗浄ノズル２を挟んで熱交換ユニット１０を収容する部位と、温風，脱臭ユニット５，６やコントローラ７を収容する部位とを区画するように設けられている。
【００４１】
前記のように、ケーシング３内をその長手方向において２分するように区画する防湿壁３０〜３２を形成することにより、例えば、洗浄ノズル２から温水を噴出して局部洗浄を行っている場合に生じる湯気等の湿気が、ケーシング３の洗浄ノズル２近辺に開口している排水路３３（図２参照）からケーシング３内に浸入したとしても、前記第１〜３の防湿壁３０〜３２が存在することによって、前記湿気が温風ユニット５，脱臭ユニット６側に浸入し、これら部位に併存しているコントローラ７に悪影響を与えることを良好に抑制することが可能となる。
【００４２】
しかも、ケーシング３の前部側（図１のケーシング３の手前側）裏面に開口した空気の吸気口１４から前記湿気が浸入した場合においても、温風ユニット５は区画壁１１ｃによって温風排出ダクト１１内が外部と連通しない（温風排出口１５は温風排出時以外は常時開閉板１６にて閉鎖されている）ように構成されている。
【００４３】
このため、前記湿気は、吸気ダクト１８と連通する温風ユニット５の開口部１３を通り、排気ダクト１９を経てケーシング３の袖部３ａに設けた排気口２９から外部に排出されるため、湿気自体は、吸・排気ダクト１８，１９とケーシング３とに形成される空所（臭気が通る空所）に浸入するものの、コントローラ７が存在する部位等、各機能部が存在するケーシング３内に浸入することはないため、湿気による弊害を良好に回避することができる。即ち、図１０，１１に示すように、ケーシング３袖部３ａの凹陥部２８上端に、ダクト函２５の空函部２５ａ下端縁２５ａ1 を乗載し、かつ、下端縁２５ａ1 に突設した係合突壁２５ａ2 にて前記乗載部を気密に封止しているため、排気ダクト１９内から排出される脱臭空気がケーシング３内に浸入するのを確実に防ぎ、湿気を含む空気がケーシング３内に浸入することによって生じる弊害を良好に回避することができる。
【００４４】
更に、熱交換ユニット１０の貯湯タンク９の表面に、貯湯タンク９の内，外温度差等によって結露が生じた場合においても、前記結露によってケーシング３内の温度が高くなった際、湿気を含む空気が温風ユニット５側に流入しようとするのを前記防湿壁３０〜３２により良好に防ぐことができる。
【００４５】
つづいて、脱臭ユニット６においては、脱臭部材を収容した収容容器２２が、ゴム等弾力性，緩衝性に優れた部材にて形成されているため、脱臭ユニット６や温風ユニット５を駆動させたとき、これらユニット５，６の駆動手段を起動させると、各ユニット５，６を構成するダクト部材は、大半が硬質の合成樹脂により形成されて剛体化している。
【００４６】
このため、前記駆動手段を駆動させると、駆動手段の振動がダクト部材に伝播し、騒音が発生する。この騒音は温風，脱臭の各ユニット５，６は内部が空洞化している関係上、ダクト部材に振動が伝播すると、振動によって生じる騒音が空洞内で共鳴し、騒音を更に拡大することになり、使用者に騒音による不快感を助長させることになる。
【００４７】
しかし、本発明においては、脱臭ユニット６の吸気ダクト１８と排気ダクト１９との間に脱臭装置２３を介在させ、かつ、脱臭装置２３の収容容器２２自体が、ゴム等弾力性，緩衝性に優れた材料で形成されているため、前記振動によって生じる騒音は脱臭部材１８ａを収容する容器２２が緩衝材の役目を果すことにより、良好に吸収緩和することができる。また、脱臭ユニット６の駆動中に流通する空気によって生ずる騒音は、前記収容容器２２が緩衝性のある部材で形成されていることと、脱臭部材１８ａ内を通過することによって、吸収・減音化されることができるので、即ち、脱臭装置２３は、吸気，排気ダクト１８，１９のクッション材の役目を果たしているため、脱臭ユニット６の駆動手段の駆動やダクト内を流通する空気によって発生する騒音は良好に抑制され、騒音により使用者に不快感を与えるという問題を緩和することができる。
【００４８】
次に、脱臭ユニット６の吸気壁体２０には、図２に示すように、コントローラ７と熱交換ユニット１０に設けた電気関係部品とを接続するための電気配線を整列させ、かつ、これを束ねた状態で掛止めする掛止手段が形成されており、前記掛止手段は、図４に示すように、電気配線３４を係合保持するための係合溝３５，係止フック３６，３６ａとによって構成されている。
【００４９】
この結果、前記電気配線３４は、図２に示すように、係合溝３５，係止フック３６，３６ａに掛止されることにより、吸気壁体２０の上端と平行に束ねた状態で掛止配線されて、熱交換ユニット１０に設けた所要電気関係部品に結線することができる。また、コントローラ７とケーシング３の袖部３ａに取付けられる操作部（図示せず）を電気的に接続する電気配線３４ａについても、前記電気配線３４と同様に、結束した状態で整列配線されている。
【００５０】
即ち、図２，５に示すように、脱臭ユニット６の排気ダクト１９を構成するダクト函２５の上面には、電気配線３４ａを整列させる案内片３７，３７ａと、前記電気配線３４ａを例えば、１列状態で押圧保持する押圧バンド３８と、押圧バンド３８を係止するバンド止具３９とが設けられている。
【００５１】
そして、電気配線３４を配線する場合は、例えば、一方を図示しない操作部に接続した電気配線３４をコントローラ７の所定の接続位置に接続する場合、図２に示すように、操作部側から引出された電気配線３４ａを案内片３７，３７ａに係止させた状態で、図１５（ａ）に示すように押圧バンド３８に係止し、押圧バンド３８の先端をバンド止具３９に掛止すると、電気配線３４ａは図２に示すように、１列状態に整列されてコントローラ７側に導くことができる。即ち、美れいに整列させてコントローラ７の所定接続位置に接続するものである。
【００５２】
なお、前記電気配線３４，３４ａは、その大部分が両端部に接続コネクタを取付け、所定の電気関係部品と接続する場合は、接続コネクタ自体を所定の電気関係部品の接続具（ソケット）に差し込むことにより、所定の電気関係部品と接続することができるように設けられている。このため、電気配線３４，３４ａは、これまでのように１本づつ接続する場合と異なり、あらかじめ、配線長さを設定して複数本を同時接続できるようになっているので、前記案内片３７，３７ａをはじめ、押圧バンド３８，係止フック３６，３６ａを用いることにより、前記したように、個々にバラバラに配線することなく、整列させた状態で、迅速・確実に配線作業を行うことができる。しかも、各電気配線３４，３４ａは、前記のように、排気ダクト１９の上面とか、吸気壁体２０の上端面等、ケーシング３内の狭隘な空間を利用して配線することができ、かつ、配線のための配線スペースを特別に必要としないので、利便である。
【００５３】
つづいて、洗浄水を熱交換ユニット１０および洗浄ノズル２の洗浄位置に通水させるバルブユニット８について説明する。前記バルブユニット８は、図１に示すように、熱交換ユニット１０の貯湯タンク９に洗浄水を供給する主水路を開閉する主電磁弁４０と、洗浄ノズル２の洗浄位置（胴体）に洗浄水を供給するバイパス水路を開閉する補助電磁弁４１と、更に、停水時に水路内を大気圧とするためのバキュームブレーカー４２とを具備して構成されている。
【００５４】
前記バルブユニット８の主電磁弁４０には、貯湯ユニット９との間において、貯湯タンク９に洗浄水を供給するための通水チューブ（図示せず）が接続されており、補助電磁弁４１には、図１に示すように、洗浄ノズル２の先端を囲繞するノズル支持体２ａの図示しない排水口から洗浄ノズル２に向けて洗浄水を噴出させるための給水チューブ４３が、前記ノズル支持体２ａとの間において接続されている。また、バルブユニット８のバキュームブレーカー４２には、バルブユニット８に通水される洗浄水の給水圧力が設定値以上となった場合、給水圧力を低下させる目的で洗浄水の一部を排水させるための排水チューブ４４が接続されており、この排水チューブ４４の先端（排水端）は、図２に示すように、ケーシング３に設けた温風ユニット５側の排水路３３に開放している。
【００５５】
そして、前記給水チューブ４３と排水チューブ４４は、図２，９に示すように、温風ユニット５の温風排出ダクト１１傾斜面１１ａの下部側において形成した、前記両チューブ４３，４４を温風ユニット５に平行に挟持して配設する長片，短片の各挟持片ｅ，ｆ間、および長片側の挟持片ｅに設けたチューブ係止用の係合凹部ｇに、係合支持された状態で揺動不能に挟持されている。
【００５６】
前記給水，排水の各チューブ４３，４４は、各挟持片ｅ，ｆ間に揺動不能に挟持されているので、洗浄水の通水に際し水圧等の変化により揺動することがないため、洗浄水を良好に洗浄ノズル２の所定個所に噴射することができる。また、不用な洗浄水は確実に排水路３３に排水でき、ケーシング３内を水浸しにすることは全くない。
【００５７】
図８，９において、４６，４６ａは保護壁を示し、コントローラ７を構成する電子回路部品を、商用電源を介して印加される雷サージ電圧等の異常電圧（過電圧）から保護するための手段として、前記コントローラ７の電子回路部品を実装したプリント基板４７に取付けたサージ吸収器４８が、異常電圧の印加によって破壊（破裂）現象が生じた場合、高温化しているサージ吸収器４８の外装材の破片が周辺に配線されている電気配線等可燃性の部材に付着したりすると、電気配線の場合被覆が溶けてショートし、熱交換ユニット１０や温風ユニット５等所要機能部の機能が損なわれるのを防ぐために設けられている。
【００５８】
前記保護壁４６，４６ａは、温風ユニット５の平坦面１１ｂ後背部（図３，９参照）に所定の間隔を空けて一対形成されており、この保護壁４６，４６ａ間の空所４６ｂには、コントローラ７と熱交換ユニット７の各電気関係部品とを接続する電気配線３４ｂが適宜束ねた状態で介挿保持されている。
【００５９】
このように、保護壁４６，４６ａを図８に示すように、サージ吸収器４８に対向して形成することにより、前記サージ吸収器４８が異常電圧の印加によって万一破損したとしても、前記一対の保護壁４６，４６ａの存在により、高温化した破片が電気配線等の可燃物に飛散するのを受止め、サージ吸収器４８が可燃物に付着することによって生じる弊害を確実に回避することを可能とした。
【００６０】
また、電気配線３４ｂは一対の保護壁４６，４６ａ間の空所４６ｂを利用して配線することができるので、配線スペースを特別に必要とせず、しかも、保護壁４６，４６ａ自体も温風ユニット５の平坦面１１ｂの空所を利用して設けることにより、サージ吸収器４８と対応させてサージ吸収器４８の異常状況に即応でき、この結果、可燃物に対する損傷を良好に阻止することはもとより、狭隘なスペースの有効利用が図れ、各機能部のコンパクト化と効率的な配置を可能とした。
【００６１】
図２２に示す５０は、ケーシング３の温風排出口１５下側に開口した空気の吸気口１４を閉鎖する閉鎖板で、衛生洗浄装置１において例えば、脱臭ユニット６を具備させない場合は、吸気口１４は不用となるため吸気口１４を閉鎖して塵埃等がケーシング３内に侵入するのを防ぐものである。
【００６２】
一方、脱臭ユニット６を併設する場合は、前記吸気口１４に図２１に示すようにフィルタ５１を装着し、前記同様塵埃の侵入を抑えるようにしている。このように、吸気口１４にフィルタ５１あるいは閉鎖板５０を取付けるということは、衛生洗浄装置１自体種々の機能を持たせたものを数種類製造する場合、それぞれ機能部が異なる毎に衛生洗浄装置１を個々に設計し製造することは非常に不経済である。
【００６３】
このため、本発明においては、衛生洗浄装置１において、その機能を最低限果すことができるという基本的な機能部を共通化して設計し、付属的な機能を付加する場合は、あらかじめ、付加する機能部を設置するスペースを事前に準備しておくことにより、衛生洗浄装置１は基本的な機能部を備えたものをあらかじめ製造することができるので、非常に経済的である。前記図２２においても、脱臭ユニット６を必要としない機種においては、吸気口１４を閉鎖すればよく、逆に、脱臭ユニット６を具備した機種であれば、フィルタ５１を吸気口１４に取付ければよいため、衛生洗浄装置１は、機種毎に設計する必要は全くないので、経済的に、かつ、効率的な製造が可能となり利便である。
【００６４】
次に動作について説明する。衛生洗浄装置１の組立に際しては、ケーシング３上において、図１の右側に熱交換ユニット１０関連の貯湯タンク９や電気関係部品の組付けを行う。一方、ケーシング３の長手方向（図１の左右方向）のほぼ中央部には洗浄ノズル２を取付ける。そして、前記洗浄ノズル２を間にして熱交換ユニット１０と反対側の位置となるケーシング３（図１の左側）には、温風ユニット５と、この温風ユニット５の平坦面１１ｂからケーシング３の袖部３ａにかけて配置した脱臭ユニット６と、貯湯タンク９等洗浄水を必要とする部位に給水可能に配管したバルブユニット８と、更に、脱臭ユニット６の後背部（図１の上方部）に取付けた温風ユニット５等各機能部を駆動制御するコントローラ７と、袖部３ａ上において、前記各種機能部を操作する図示しない操作部を取付ける。
【００６５】
ケーシング３に所要の機能部を設置し、コントローラ７と各機能部および各機能部同士等を電気配線３４〜３４ｂに配線接続した後、カバー体４を被着することにより、組立作業を終了する。このあと、衛生洗浄装置１は、図示しない便座を開閉自在に取付け、便器本体に装着して使用者の使用に供する。なお、脱臭ユニット６を必要としない場合、衛生洗浄装置１は、ケーシング３下部の吸気口１４を閉鎖板５０により閉鎖し、湿気が吸気口１４からケーシング３内に侵入するのを防ぎ、逆に、脱臭ユニット６を必要とするときは、吸気口１４にフイルタ５１を取付けて塵埃の侵入を防ぐようにする。
【００６６】
衛生洗浄装置１の使用に際しては、バルブユニット８を操作して貯湯タンク９に水道水を通水し、電気ヒータへの通電により所定温度に加熱して局部洗浄に備える。そして、使用者が用足し後において局部洗浄を行う場合は、操作部の所定のスイッチ（例えば、洗浄スイッチ）を投入する。この場合、使用者が図示しない便座に着座すると、コントローラ７はこれを検知し、前記コントローラ７からの指令信号により脱臭ユニット６は駆動を開始する。
【００６７】
前記操作部の洗浄スイッチを投入すると、バルブユニット８の主，補助電磁弁４０，４１が開放され、主電磁弁４０の開放により洗浄水は貯湯タンク９に流入される。また、補助電磁弁４１の開放によって、洗浄水は給水チューブ４３に給水され、給水チューブ４３の先端を取付けたノズル支持体２ａの図示しない排水口から、洗浄ノズル２の先端に向けて洗浄水を噴射する。なお、主電磁弁４０の開放により貯湯タンク９に洗浄水は流入するが、洗浄ノズル２に設けた流量調節弁は、洗浄ノズル２を洗浄している間は開放されないので、この時点で温水は洗浄ノズル２から噴出しない。
【００６８】
前記洗浄水の噴射と同時に、洗浄ノズル２に取付けたノズル駆動モータ（図示せず）がコントローラ７からの指令信号にて起動し、駆動機構（本例では、図２に示す駆動ベルト２ｂ）を介して前記洗浄ノズル２を便器本体内に繰出す。洗浄ノズル２は、その繰出途中において、給水チューブ４３から通水されノズル支持体２ａの排水口から噴射される洗浄水により、胴部を清浄に洗浄されながら便器本体内に伸出する。
【００６９】
洗浄ノズル２が便器本体内に所定の長さ伸出すると、補助電磁弁４１，洗浄ノズル２の駆動モータは、コントローラ７からの指令信号にて駆動を停止し、洗浄水の噴射を中止するとともに、洗浄ノズル２の伸出駆動を一旦停止させる。洗浄ノズル２が定量伸出されると、洗浄ノズル２に取付けた流量調節弁（図示せず）がコントローラ７からの指令信号にて開放され、貯湯タンク９内の温水は、主電磁弁４０の開放によって通水される洗浄水によって、図１に示す洗浄ノズル２と貯湯タンク９とをフレキシブルに接続する注湯チューブ２ｃを介して貯湯タンク９から洗浄ノズル２側に押し出され、洗浄ノズル２の先端に開口された噴出口（図示せず）から噴出し局部洗浄を行うものである。
【００７０】
なお、温水を洗浄ノズル２から噴出させて局部洗浄を行う場合、バルブユニット８に流入する洗浄水の流入圧力が設定圧力以上である場合、バキュームブレーカー４２が開放され、洗浄水の一部を排水チューブ４４から排水路３３に排水し、流入する洗浄水の給水圧力を減殺させ、貯湯タンク９に負担が加わるのを阻止するようにしている。しかも、前記給水，排水の各チューブ４３，４４は、温風ユニット５の温風排出ダクト１１の傾斜面１１ａに設けた係合凹部ｇ，挟持片ｅ，ｆ（図９参照）に揺動することなく係止・挟持されているので、洗浄水の噴出圧が変化しても良好に保持でき、洗浄水の通水を円滑に行うことができる。
【００７１】
前記局部洗浄中において、温水を噴出させることによって便器本体内で湯気が発生し、それがケーシング３の排水路３３からケーシング３内に浸入する場合がある。しかし、ケーシング３内は、前記洗浄ノズル２に近接して温風ユニット５，脱臭ユニット６の端部に設けた防湿壁３０〜３２によって区画されているので、前記湯気が排水路３３を通ってケーシング３内に仮に浸入したとしても、前記防湿壁３０〜３２により、図１，６に示すように、カバー体４内周面との間が狭隘となっているため、コントローラ７を収容するケーシング３側は、前記防湿壁３０〜３２に区画されており、湯気等湿気の浸入を良好に抑制することができるものである。
【００７２】
しかも、前記コントローラ７は、図１，６に示すように、前記防湿壁３０〜３２の他に温風ユニット５，脱臭ユニット６の各壁体や駆動源（送風機１２，脱臭送風機１７）等によって囲繞されているので、電子部品が湯気の浸入や貯湯タンク９の結露等によってケーシング３内の湿度が上昇しても、防湿壁３０〜３２等の存在により、湿気による悪影響を回避し、湿気による弊害によってコントローラ７が損傷するといった問題の解消を可能とした。
【００７３】
次に、前記温水を噴出させて局部の洗浄を行っているとき、便器本体の臭気を脱臭するために脱臭ユニット６は駆動している。この際、脱臭ユニット６によって脱臭される空気は、局部洗浄中においても便器本体内の臭気（空気）を吸気口１４より吸入し、吸気ダクト１８から脱臭装置２３に進入して脱臭され、脱臭された空気は、排気ダクト１９のダクト函２５を通ってケーシング３の袖部３ａに開口する排気口２９からケーシング３外に排気される。
【００７４】
この際、脱臭ユニット６によって脱臭される臭気は、温水により局部を洗浄している間も脱臭ユニット６内に吸入されるため、当然多量の湿気を含んでいることになる。この湿気を多量に含む臭気は、吸気ダクト１８を通り脱臭装置２３にて脱臭され、前記臭気を脱臭した空気は湿気を含んだまま排気ダクト１９内を流通することになるが、前記吸気ダクト１８，排気ダクト１９は、臭気や湿気がダクト１８，１９からケーシング３内に漏出しないように形成されているとともに、特に、排気ダクト１９のダクト函２５を、ケーシング３の排気口２９を有する袖部３ａの後部の凹陥部２８に取付ける場合は、前記湿気を含む空気がケーシング３内に漏出しないように、係合突壁２５ａ2 を特別に形成して漏出対策が施されているので、局部洗浄中における臭気の脱臭処理は、湿気に妨げられることなく円滑に行うことができる。
【００７５】
また、前記脱臭処理中、脱臭送風機１７の運転により、振動が吸気ダクト１８から排気ダクト１９側に伝播されて騒音を発生することになるが、本発明は、脱臭部材を収容した収容容器２２が、ゴム等弾力性及び緩衝能力に優れた部材にて形成されているので、前記吸気ダクト１８に伝播される振動を吸収して排気ダクト１９側に伝播されるのを極力抑制するように構成されているため、脱臭ユニット６の運転中、脱臭送風機１７の振動が吸気ダクト１８，排気ダクト１９に伝播し、かつ、各ダクト１８，１９が空洞となっていることにより共振し騒音を拡大させることになるが、前記収容容器２２が緩衝的な役割を果すことになる結果、振動に伴う騒音発生を大幅に抑制することが可能となり、衛生洗浄装置１の使用中における不快な騒音発生を円滑に軽減することが可能となる。
【００７６】
なお、温水による局部洗浄が終了すれば、洗浄ノズル２は原位置に戻る。この際、給水チューブ４３を通して洗浄水が洗浄ノズル２に噴射され、洗浄ノズル２の胴部を洗浄する。局部洗浄後は温風ユニット５を操作部にて駆動し、温風を温風排出口１５から噴射し局部を乾燥させる。この場合、必要に応じて脱臭ユニット６を一時停止させ、温風ユニット５のみを駆動して温風乾燥を優先し、温風乾燥が終了したら改めて脱臭ユニット６を駆動するようにしてもよい。
【００７７】
更に、本発明においては、コントローラ７と図示しない操作部とを接続する電気配線３４，３４ａは、脱臭ユニット６の吸気壁体２０に設けた係止フック３６，３６ａや、ダクト函２５の上面に設けた押圧バンド３８を利用して収束した状態で、１列等に整列させて配線するように構成されているため、各電気配線３４，３４ａは、ケーシング３内の空所を利用して各機能部の設置を妨げることなく、整然と配線することができるので、コントローラ７，温風ユニット５等各機能部の組立作業を円滑に行うことができる。しかも、電気配線３４，３４ａは、係止フック３６，押圧バンド３８等の係止手段によって乱雑となることなく、複数本を整列した状態で係止させて配線することができるので、配線作業自体も簡易に、かつ、迅速・確実に行うことができる。
【００７８】
また、コントローラ７の電子部品を実装したプリント基板４７に取付けたサージ吸収器４８については、異常電圧の印加等によって万一破損した場合、その破損した高温の外装品の破片等が可燃性部品に付着することにより、各機能部の機能が損なわれるのを温風ユニット５に設けた保護壁４６，４６ａにより受止めることにより、破損に伴う損害を最小限に抑制できるように構成されているため、サージ吸収器４８が破損すること自体は機能部を保護するという点から必要であるものの、サージ吸収器４８の破損によって２次被害が生じるのは、前記保護壁４６，４６ａの設置によって確実に防ぐことができるため、狭隘な空間の有効利用と相まって、サージ吸収器４８の破損に伴う２次的損害を良好に回避することができる。しかも、保護壁４６，４６ａの間には、空所４６ｂが形成されているので、この空所４６ｂを利用することにより、電気配線３４ｂを安全に、かつ、効率よく配線することができるという利点もある。
【００７９】
【発明の効果】
本発明は、以上説明したように、温風ユニットの温風排出ダクトの上に脱臭ユニットの吸気ダクトを乗載し、前記各ダクトの洗浄ノズル側に隣接する端部に、カバー体をケーシングに被着したとき、前記洗浄ノズルと温風・脱臭ユニットとの間を区画する防湿壁を形成したので、前記温風・脱臭ユニット側に配置したコントローラを外部等から浸入する湿気による弊害から良好に保護することができる。また、温風ユニット上の空間を有効利用して脱臭ユニットを設置するように構成したので、ケーシング内の空所を利用して各機能部を効率的に配置することが可能となり、衛生洗浄装置をコンパクトに製作することができる。
【００８０】
本発明は、脱臭ユニットを構成する吸気ダクトと排気ダクトとの間に脱臭部材を収容した容器を弾力性に優れた材料にて形成するようにしたので、各ダクトに伝播される振動を吸収し、ダクト内において伝播する振動が共振して騒音が発生するという問題を良好に抑制し、これにより、使用者は脱臭ユニットの運転により発生する騒音に妨げられることなく、衛生洗浄装置を快適に使用することができ利便である。
【００８１】
更に、本発明においては、コントローラと各機能部とを電気的に接続する配線を各機能部に設けた係止手段を有効活用して、整列状態に束ねて各機能部の空所に沿って係止させながら順次配線するように構成したので、電気配線の接続作業を効率的に、かつ、各機能部間の空所を有効利用して簡易に、かつ、正確に配線できるので、電気配線の結線作業を迅速・容易に行うことができる。
【００８２】
更に、また本発明においては、コントローラに使用する電子部品が破損した場合、破片の飛散を防ぐ保護壁を形成して、破片の飛散に伴う弊害を解決するとともに、前記保護壁による空所を活用して電気配線を前記破片による弊害を回避して配線することができるようにしたので、電気配線を安全に、かつ、効率よく行うことができるという利点もある。
【００８３】
その上、本発明においては、洗浄ノズルを洗浄する洗浄水を給水するチューブや水道圧が設定圧以上となった場合、水道水を捨水する排水チューブは、電気配線と同様に、温風ユニットの空所を利用して係止手段により揺動不能に係止させてあるため、洗浄水の流出に伴いチューブが揺動して洗浄水がケーシング内の排水路以外に排水するという問題も解決するようにしたので、洗浄水の排水により電気部品に悪影響を与えるという問題も確実に解決し、衛生洗浄装置を快適に使用できるという利点もある。
【図面の簡単な説明】
【図１】本発明の衛生洗浄装置の内部状況を示す斜視図である。
【図２】同じく平面図である。
【図３】脱臭ユニットを除去した状態を示す衛生洗浄装置の斜視図である。
【図４】脱臭ユニットの吸気ダクト側を示す斜視図である。
【図５】同じく排気ダクト側を示す斜視図である。
【図６】本発明の衛生洗浄装置の要部を切欠いて示す斜視図である。
【図７】同じく衛生洗浄装置の要部を示す縦断側面図である。
【図８】同じく衛生洗浄装置において、コントローラと温風ユニットとの取付関係を示す要部切欠縦断面図である。
【図９】衛生洗浄装置の後背部例を示す斜視図である。
【図１０】排気ダクトの要部切欠縦断面図である。
【図１１】図１０のＰ部分を拡大して示す断面図である。
【図１２】排気ダクトの平面図である。
【図１３】同じく排気ダクトの側面図である。
【図１４】脱臭装置の要部を縦断して示す断面図である。
【図１５】（ａ）は、電気配線を押圧バンドに通した状態を示す説明図で、（ｂ）は電気配線の押圧バンドにて係止している状態を示す説明図である。
【図１６】吸気ダクトの正面図である。
【図１７】同じく吸気ダクトの背面図である。
【図１８】吸気ダクトの平面図である。
【図１９】吸気ダクトの側面図である。
【図２０】ケーシングの底面を示す斜視図である。
【図２１】ケーシングに開口した吸気口にフィルタを取付けた状態を示す要部斜視図である。
【図２２】同じく、吸気口を閉鎖板にて閉鎖した状態を示す要部斜視図である。
【符号の説明】
１  衛生洗浄装置
２  洗浄ノズル
３  ケーシング
４  カバー体
５  温風ユニット
６  脱臭ユニット
７  コントローラ
８  バルブユニット
９  貯湯タンク
１０  熱交換ユニット
１１  温風排出ダクト
１４  空気の吸気口
１８  吸気ダクト
１９  排気ダクト
２０  吸気壁体
２５  ダクト函
３０〜３２  防湿壁
３４〜３４ｂ  電気配線
３６，３６ａ  係止フック
４３  給水チューブ
４４  排水チューブ
４７  プリント基板
４８  サージ吸収器
５０  閉鎖板
５１  フィルタ
【図１】
0004814453.tif 000002
【図２】
0004814453.tif 000003
【図３】
0004814453.tif 000004
【図４】
0004814453.tif 000005
【図５】
0004814453.tif 000006
【図６】
0004814453.tif 000007
【図７】
0004814453.tif 000008
【図８】
0004814453.tif 000009
【図９】
0004814453.tif 000010
【図１０】
0004814453.tif 000011
【図１１】
0004814453.tif 000012
【図１２】
0004814453.tif 000013
【図１３】
0004814453.tif 000014
【図１４】
0004814453.tif 000015
【図１５】
0004814453.tif 000016
【図１６】
0004814453.tif 000017
【図１７】
0004814453.tif 000018
【図１８】
0004814453.tif 000019
【図１９】
0004814453.tif 000020
【図２０】
0004814453.tif 000021
【図２１】
0004814453.tif 000022
【図２２】
0004814453.tif 000023